(57)【特許請求の範囲】
【請求項１】
展示ディスプレイに連結するためのスライドバーと、
壁に固定するための固定フレームと、
前記スライドバーと前記固定フレームの間に設けられるレールユニットと、からなる壁掛け装置であって、
前記レールユニットは、
前記スライドバーとスライド係合する第１レールと、
前記固定フレームとスライド係合する第２レールと、を備え、
そのうち、前記スライドバーを取り付ける方向は、あらかじめ調節された第１方向であり、
前記固定フレームを取り付ける方向は、あらかじめ調節された第２方向であり、
前記スライドバーの両側面には、第１溝が設けられ、
前記スライドバーの断面は、Ｈ型であり、
前記レールユニットは、
棒状レールユニット本体と、
前記棒状レールユニット本体の両側に一体に連結されたレールユニット側板と、
前記レールユニット側板の端部が内向きに向かい合って伸びることで形成された第１レールと、を備え、
前記第１レールは、前記スライドバーの前記第１溝内に差し込まれるとともに、前記スライドバーに対してスライドし、
前記第２レールは、前記棒状レールユニット本体の後ろに連結される
ことを特徴とする壁掛け装置。
【請求項２】
請求項１に記載の壁掛け装置において、
前記第１方向は水平であり、
前記第２方向は前記第１方向に垂直の縦方向である
ことを特徴とする壁掛け装置。
【請求項３】
請求項１に記載の壁掛け装置において、
前記レールユニット側板には、第１ガイド穴が設けられ、
前記第１ガイド穴に第１ガイドねじが螺合される
ことを特徴とする壁掛け装置。
【請求項４】
請求項２に記載の壁掛け装置において、
前記レールユニット側板には、第１ガイド穴が設けられ、
前記第１ガイド穴に第１ガイドねじが螺合される
ことを特徴とする壁掛け装置。
【請求項５】
請求項１に記載の壁掛け装置において、
前記第２レールの両側面には第２溝が設けられ、
前記第２レールの断面はＨ型であり、
前記第２溝の方向と前記スライドバーの前記第１溝の方向は垂直である
ことを特徴とする壁掛け装置。
【請求項６】
請求項２に記載の壁掛け装置において、
前記第２レールの両側面には第２溝が設けられ、
前記第２レールの断面はＨ型であり、
前記第２溝の方向と前記スライドバーの前記第１溝の方向は垂直である
ことを特徴とする壁掛け装置。
【請求項７】
請求項５に記載の壁掛け装置において、
前記固定フレームは、
棒状固定フレーム本体と、
前記棒状固定フレーム本体の両側に一体に連結された固定フレーム側板と、
前記固定フレーム側板の端部が内向きに向かい合って伸びることで形成された第３レールと、を備え、
前記第３レールは、前記第２溝内に差し込まれるとともに、前記レールユニットに対してスライドする
ことを特徴とする壁掛け装置。
【請求項８】
請求項６に記載の壁掛け装置において、
前記固定フレームは、
棒状固定フレーム本体と、
前記棒状固定フレーム本体の両側に一体に連結された固定フレーム側板と、
前記固定フレーム側板の端部が内向きに向かい合って伸びることで形成された第３レールと、を備え、
前記第３レールは、前記第２溝内に差し込まれるとともに、前記レールユニットに対してスライドする
ことを特徴とする壁掛け装置。
【請求項９】
請求項７に記載の壁掛け装置において、
前記固定フレーム側板には、第２ガイド穴が設けられ、
前記第２ガイド穴に第２ガイドねじが螺合される
ことを特徴とする壁掛け装置。
【請求項１０】
請求項８に記載の壁掛け装置において、
前記固定フレーム側板には、第２ガイド穴が設けられ、
前記第２ガイド穴に第２ガイドねじが螺合される
ことを特徴とする壁掛け装置。
【請求項１１】
請求項９に記載の壁掛け装置において、
前記第２ガイド穴に対応するように、前記レールユニットの前記第２レール上には、いくつかのガイド溝が設けられる
ことを特徴とする壁掛け装置。
【請求項１２】
請求項１０に記載の壁掛け装置において、
前記第２ガイド穴に対応するように、前記レールユニットの前記第２レール上には、いくつかのガイド溝が設けられる
ことを特徴とする壁掛け装置。
【発明の詳細な説明】
【技術分野】
【０００１】
本発明は機械技術の分野に関し、特に、壁に展示する際、多方向に位置調整できる壁掛け装置に関する。
【背景技術】
【０００２】
現在のテレビは、軽量化・薄型化する傾向にあり、見た目の良さを兼ね備えた視覚体験ができる上、省スペース化されている。テレビが軽量化・薄型化するにつれて、重さもますます軽量化しており、テレビを壁に掛けることは、比較的良い選択肢だと言える。しかし、実際に壁掛けを適用すると、以下に挙げるいくつかの現実問題に直面せざるを得ない。
【０００３】
１、従来の壁掛け構造は、一般的に、壁に固定フレームを固定してから、テレビを固定フレームに固定する。この方法は、位置を調整しにくく、一回で固定しなければならない。リビングによっては、ソファーの位置やテレビを掛ける場所が悪い、または、見る位置を変えると、比較的良い視角効果を得ることができない。
【０００４】
２、従来の壁掛け構造は、非常に重くて分厚く、比較的場所をとるため、テレビを壁に掛けた際の調和感に欠ける。
【０００５】
３、従来の壁掛け装置は、一般的に、取り付け時に前もってテレビの取り付け位置を決めてから、装置の位置を決めて壁に固定し、最後にテレビを取り付ける。場所を決めた後で位置を微調整したい時、一般家庭では調整することができず、助けを必要とする。
【０００６】
取り付け時にしろ、取り付け後の微調整にしろ、壁掛け装置は、一般に水平方向の調整しかできず、大きな限界がある。もちろん、この種の壁掛け装置は、コンピュータ機器の取り付けのみならず、類似した平面の展示ディスプレイを掛けるのにも使用できる。
【発明の概要】
【発明が解決しようとする課題】
【０００７】
本発明は、多方向に位置調整できる壁掛け装置を提供することを目的とする。
【課題を解決するための手段】
【０００８】
本発明の目的を達成するために、本発明の実施例による壁掛け装置は、展示ディスプレイに連結するためのスライドバーと、壁に固定するための固定フレームと、前記スライドバーと前記固定フレームの間に設けられるレールユニットと、からなり、前記レールユニットは、前記スライドバーとスライド係合する第１レールと、前記固定フレームとスライド係合する第２レールとを備え、そのうち、前記スライドバーを取り付ける方向は、あらかじめ調節された第１方向であり、前記固定フレームを取り付ける方向は、あらかじめ調節された第２方向である。異なる方向に調節することができる。
【０００９】
第１方向は水平、第２方向は第１方向に垂直の縦方向であることが好ましい。
【００１０】
前記スライドバーの両側面には、第１溝が設けられ、前記スライドバーの断面は、Ｈ型であることが好ましい。
【００１１】
前記レールユニットは、棒状本体と、両側に一体に連結された側板と、端部の内向きに向かい合って伸びる第１レールとを備え、前記第１レールは、その両側が前記スライドバーの第１溝内に差し込まれるとともに、前記スライドバーに対してスライドすることが好ましい。前記第２レールの一体は、前記棒状本体の後ろに連結される。
【００１２】
前記レールユニットの上部の側板には、第１ガイド穴が設けられ、前記第１ガイド穴とガイドねじは、螺合されることが好ましい。それによって、展示ディスプレイが勝手にスライドするのを防止する。
【００１３】
前記第２レールの両側面には第２溝が設けられ、前記第２レールの断面はＨ型であり、前記第２溝の方向と前記スライドバーの前記第１溝の方向は垂直であることが好ましい。
【００１４】
前記固定フレームは、棒状本体と、両側に一体に連結された側板と、端部の内向きに向かい合って伸びる第３レールとを備え、前記第３レールは、その両側が前記レールユニットの第２溝内に差し込まれるとともに、前記レールユニットに対してスライドすることが好ましい。
【００１５】
前記固定フレームの側板には、第２ガイド穴が設けられ、前記第２ガイド穴とガイドねじは、螺合されることが好ましい。
【００１６】
前記第２ガイド穴に対応する前記レールユニットの前記第２レール上には、いくつかのガイド溝が設けられることが好ましい。
【発明の効果】
【００１７】
本発明における有益な効果は、簡単な構造で壁掛け装置を多方向に調節する可能性を実現し、構造が簡単で、操作しやすい上、位置決め装置が設けられており、ちょうどいい位置に調節してから固定でき、不注意で展示ディスプレイが動いてしまうのを防止する。
【図面の簡単な説明】
【００１８】
【図１】本発明の実施例による壁掛け装置の構造を示した分解図である。
【図２】本発明の実施例による壁掛け装置を組み立てた図である。
【発明を実施するための形態】
【００１９】
以下に図と組み合わせた実施例を用いて本発明について更に詳しく説明する。
【００２０】
図１と図２に示すように、本発明の実施例による壁掛け装置は、スライドバー１０と、固定フレーム２０と、レールユニット３０と、からなる。そのうち、スライドバー１０は、展示ディスプレイを連結するために用いられ、本実施例中の展示ディスプレイは、よくある薄型テレビ４０であり、固定フレーム２０は、壁にしっかりと連結するために用いられ、レールユニット３０は、スライドバー１０と固定フレーム２０をそれぞれ連結するために用いられる。その組立図である図２を参照する。以下に各部品の構造と部品間の連結について更に詳しく説明する。
【００２１】
図から分かるように、スライドバー１０は棒状であり、その両側面にはそれぞれ第１溝１１が設けられ、スライドバー１０の断面はＨ型である。同時に、薄型テレビ４０に連結するために、スライドバー１０上には取り付け穴１２が設けられ、取り付け穴１２によって薄型テレビ４０の本体と連結される。レールユニット３０は、スライドバー１０とスライド係合する第１レール３１と、固定フレーム２０とスライド係合する第２レール３２を備え、そのうち、スライドバー１０を取り付ける方向は、水平方向であり、固定フレーム２０を取り付ける方向は、水平方向に垂直の縦方向であり、レールユニット３０の具体的な構造は、棒状本体３３と、両側に一体に連結された側板３４と、端部の内向きに向かい合って伸びる第１レール３１とを備え、第１レール３１は、その両側がスライドバー１０の第１溝１１内に差し込まれるとともに、スライドバー１０に対してスライドする。また、薄型テレビ４０を適切な位置まで水平方向に調節してから位置決めをし、勝手に動くのを防ぐためには、スライドバー１０と第１レール３１は対応する位置に配置される必要がある。そのために、レールユニット３０上部の側板３４に、第１ガイド穴３５を設け、第１ガイド穴３５とガイドねじ３６を螺合させることができる。ガイドねじ３６を第１ガイド穴３５に螺合すると、その端部はスライドバー１０上に到達し、位置決めの目的が達成される。レールユニット３０の第２レール３２の一体は、棒状本体３３の後ろに連結され、図から分かるように、第２レール３２の構造は、スライドバー１０の構造と似ており、その両側面には第２溝３７が設けられ、第２レール３２の断面はＨ型であり、第２溝３７の方向とスライドバー１０の第１溝１１の方向は垂直であり、それによって、薄型テレビ４０の位置を上下左右に調節することができる。固定フレーム２０の構造は、レールユニット３０の第１レール３１の構造と似ており、棒状本体２１と、両側に一体に連結された側板２２と、端部の内向きに向かい合って伸びる第３レール２３とを備え、第３レール２３は、その両側がレールユニット３０の第２溝３７内に差し込まれるとともに、レールユニット３０に対してスライドし、同じように、薄型テレビ４０上で上下に調節して配置してから位置を決める必要があり、さらに、固定フレーム２０の側板２２には、第２ガイド穴２４が設けられる必要があり、第２ガイド穴２４とガイドねじ２５は螺合され、薄型テレビ４０の重さを考慮して、第２ガイド穴２４に対応するレールユニット３０の第２レール３２上には、いくつかのガイド溝３８が設けられ、それによって、ガイドねじ２５は、ガイド溝３８の中に差し込むことができ、位置決め効果が更に良くなり、固定フレーム２０は、その棒状本体２１上に設けられた取り付け穴２６によって、ボルトを使って壁に固定連結される。
【００２２】
以上は、本発明の好ましい実施案であるが、それによって本発明が限定されるものではなく、本実施例の範囲内における変更は全て、本発明の保護範囲内に入るものとする。例えば、スライドバーと薄型テレビの連結が、縦方向に連結されている場合、水平方向に対して垂直の方向であると同時に、固定フレームは壁に水平方向に固定されなければならないため、レールユニットの第１レールと第２レールのスライド方向も必ずしも垂直ではない。
【符号の説明】
【００２３】
１０  スライドバー
２０  固定フレーム
３０  レールユニット
４０  薄型テレビ
１１  第１溝
１２  取り付け穴
２１  棒状本体
２２  側板
２３  第３レール
２４  第２ガイド穴
２５  ガイドねじ
２６  取り付け穴
３１  第１レール
３２  第２レール
３３  棒状本体
３４  側板
３５  第１ガイド穴
３６  ガイドねじ
３７  第２溝
３８  ガイド溝
【図１】
0006472465.tif 000002
【図２】
0006472465.tif 000003